【手続補正書】
【提出日】平成17年8月8日(2005.8.8)
【手続補正１】
【補正対象書類名】明細書
【補正対象項目名】特許請求の範囲
【補正方法】変更
【補正の内容】
【特許請求の範囲】
【請求項１】
個人を識別する処理を行う個人識別装置において、
パルスを発生する発生手段と、
前記発生手段により発生された前記パルスを出力する第１の出力手段と、
前記第１の出力手段により出力された前記パルスをユーザの生体組織に入力した結果得られるインパルス応答を受信する受信手段と
を備えることを特徴とする個人識別装置。
【請求項２】
前記第１の出力手段と前記受信手段とは、前記ユーザの体の一部を挟むことができるように構成されている
ことを特徴とする請求項１に記載の個人識別装置。
【請求項３】
前記第１の出力手段と前記受信手段とは、前記ユーザの体の一部が同時に触れることができるように、同一平面上に設けられている
ことを特徴とする請求項１に記載の個人識別装置。
【請求項４】
前記第１の出力手段と前記受信手段とは、同一のプローブ状の部材に設けられている
ことを特徴とする請求項１に記載の個人識別装置。
【請求項５】
前記第１の出力手段と前記受信手段とは、一体の平面状の部材として構成されている
ことを特徴とする請求項１に記載の個人識別装置。
【請求項６】
前記受信手段は、前記ユーザの指に入力された前記パルスが、骨を含む指組織内部を伝導した結果得られるインパルス応答を受信する
ことを特徴とする請求項１に記載の個人識別装置。
【請求項７】
前記発生手段により発生された前記パルスと、前記受信手段により受信された前記インパルス応答を合成して合成波を生成する生成手段
を更に備えることを特徴とする請求項１に記載の個人識別装置。
【請求項８】
前記生成手段により生成された前記合成波を出力する第２の出力手段
を更に備えることを特徴とする請求項７に記載の個人識別装置。
【請求項９】
登録ユーザを識別するための情報を入力するための入力手段と、
前記入力手段により入力された前記登録ユーザを識別するための情報と、前記生成手段により生成された第１の合成波を関連付けて記録する記録手段と、
前記記録手段により予め記録されている前記登録ユーザに対応する前記第１の合成波と、前記生成手段により生成された第２の合成波とを比較する比較手段と、
前記比較手段による比較結果を出力する第２の出力手段と
を更に備えることを特徴とする請求項７に記載の個人識別装置。
【請求項１０】
前記比較手段は、前記パルスを時間軸の基準として、前記記録手段により予め記録されている前記登録ユーザに対応する前記第１の合成波と、前記生成手段により生成された前記第２の合成波との減衰特性を比較する
ことを特徴とする請求項９に記載の個人識別装置。
【請求項１１】
前記比較手段は、前記登録ユーザに対応する前記第１の合成波と、前記生成手段により生成された前記第２の合成波との振幅の差の二乗平均値を演算することにより、減衰特性を比較する
ことを特徴とする請求項１０に記載の個人識別装置。
【請求項１２】
前記比較手段は、前記記録手段により予め記録されている前記登録ユーザに対応する前記第１の合成波と、前記生成手段により生成された前記第２の合成波との周波数特性を比較する
ことを特徴とする請求項９に記載の個人識別装置。
【請求項１３】
前記生成手段により生成された前記合成波に対して所定の単位時間毎にスペクトラム変換を実行するスペクトラム変換手段を更に備え、
前記記録手段は、前記入力手段により入力された前記登録ユーザを識別するための情報と、前記第１の合成波形に対して前記スペクトラム変換手段によりスペクトラム変換が実行されることによって得られた第１のスペクトラム変換結果を関連付けて更に記録し、
前記比較手段は、前記記録手段により予め記録されている前記第１のスペクトラム変換結果と、前記第２の合成波形に対して前記スペクトラム変換手段によりスペクトラム変換が実行されることによって得られた第２のスペクトラム変換結果とを比較することにより、前記登録ユーザに対応する前記第１の合成波と、前記生成手段により生成された前記第２の合成波との周波数特性を比較する
ことを特徴とする請求項１２に記載の個人識別装置。
【請求項１４】
個人を識別する処理を行う個人識別装置の個人識別方法において、
パルスの発生を制御する発生制御ステップと、
前記発生制御ステップの処理により発生が制御された前記パルスの出力を制御する出力制御ステップと、
前記出力制御ステップの処理により出力が制御された前記パルスをユーザの生体組織に入力した結果得られるインパルス応答の受信を制御する受信制御ステップと
を含むことを特徴とする個人識別方法。
【請求項１５】
個人を識別する処理を行う個人識別装置用のプログラムであって、
パルスの発生を制御する発生制御ステップと、
前記発生制御ステップの処理により発生が制御された前記パルスの出力を制御する出力制御ステップと、
前記出力制御ステップの処理により出力が制御された前記パルスをユーザの生体組織に入力した結果得られるインパルス応答の受信を制御する受信制御ステップと
を含むことを特徴とするコンピュータが読み取り可能なプログラムが記録されているプログラム格納媒体。
【請求項１６】
個人を識別する処理を行う個人識別装置を制御するコンピュータが実行可能なプログラムであって、
パルスの発生を制御する発生制御ステップと、
前記発生制御ステップの処理により発生が制御された前記パルスの出力を制御する出力制御ステップと、
前記出力制御ステップの処理により出力が制御された前記パルスをユーザの生体組織に入力した結果得られるインパルス応答の受信を制御する受信制御ステップと
を含むことを特徴とするプログラム。
【請求項１７】
取得した情報を基に、個人を識別する処理を行う情報処理装置において、
ユーザの生体にパルスを入力した結果得られるインパルス応答および前記パルスの合成波を取得する取得手段と、
登録ユーザを識別するための情報を入力するための入力手段と、
前記入力手段により入力された前記登録ユーザを識別するための情報と、前記取得手段によって取得された第１の合成波を関連付けて記録する記録手段と、
前記記録手段により予め記録されている前記登録ユーザに対応する前記第１の合成波と、前記取得手段により取得された第２の合成波とを比較する比較手段と、
前記比較手段による比較結果を出力する出力手段と
を備えることを特徴とする情報処理装置。
【請求項１８】
前記取得手段は、前記ユーザの指に入力された前記パルスが、骨を含む指組織内部を伝導した結果得られるインパルス応答、および、前記パルスの合成波を取得する
ことを特徴とする請求項１７に記載の情報処理装置。
【請求項１９】
前記比較手段は、前記パルスを時間軸の基準として、前記記録手段により予め記録されている前記登録ユーザに対応する前記第１の合成波と、前記取得手段により取得された前記第２の合成波との減衰特性を比較する
ことを特徴とする請求項１７に記載の情報処理装置。
【請求項２０】
前記比較手段は、前記登録ユーザに対応する前記第１の合成波と、前記取得手段により取得された前記第２の合成波との振幅の差の二乗平均値を演算することにより、減衰特性を比較する
ことを特徴とする請求項１９に記載の情報処理装置。
【請求項２１】
前記比較手段は、前記記録手段により予め記録されている前記登録ユーザに対応する前記第１の合成波と、前記取得手段により取得された前記第２の合成波との周波数特性を比較する
ことを特徴とする請求項１７に記載の情報処理装置。
【請求項２２】
前記取得手段により取得された前記合成波に対して所定の単位時間毎にスペクトラム変換を実行するスペクトラム変換手段を更に備え、
前記記録手段は、前記入力手段により入力された前記登録ユーザを識別するための情報と、前記第１の合成波形に対して前記スペクトラム変換手段によりスペクトラム変換が実行されることによって得られた第１のスペクトラム変換結果を関連付けて更に記録し、
前記比較手段は、前記記録手段により予め記録されている前記第１のスペクトラム変換結果と、前記第２の合成波形に対して前記スペクトラム変換手段によりスペクトラム変換が実行されることによって得られた第２のスペクトラム変換結果とを比較することにより、前記登録ユーザに対応する前記第１の合成波と、前記取得手段により取得された前記第２の合成波との周波数特性を比較する
ことを特徴とする請求項２１に記載の情報処理装置。
【請求項２３】
取得した情報を基に、個人を識別する処理を行う情報処理装置の情報処理方法において、
ユーザの生体にパルスを入力した結果得られるインパルス応答および前記パルスの合成波の取得を制御する取得制御ステップと、
登録ユーザを識別するための情報の入力を制御する入力制御ステップと、
前記入力制御ステップの処理により入力が制御された前記登録ユーザを識別するための情報と、前記取得制御ステップの処理によって取得が制御された第１の合成波とが関連付けられて記録されるように記録を制御する記録制御ステップと、
前記記録制御ステップの処理により予め記録が制御されている前記登録ユーザに対応する前記第１の合成波と、前記取得制御ステップの処理により取得が制御された第２の合成波とを比較する比較ステップと、
前記比較ステップによる比較結果の出力を制御する出力制御ステップと
を含むことを特徴とする情報処理方法。
【請求項２４】
取得した情報を基に、個人を識別する処理を行う情報処理装置用のプログラムであって、
ユーザの生体にパルスを入力した結果得られるインパルス応答および前記パルスの合成波の取得を制御する取得制御ステップと、
登録ユーザを識別するための情報の入力を制御する入力制御ステップと、
前記入力制御ステップの処理により入力が制御された前記登録ユーザを識別するための情報と、前記取得制御ステップの処理によって取得が制御された第１の合成波とが関連付けられて記録されるように記録を制御する記録制御ステップと、
前記記録制御ステップの処理により予め記録が制御されている前記登録ユーザに対応する前記第１の合成波と、前記取得制御ステップの処理により取得が制御された第２の合成波とを比較する比較ステップと、
前記比較ステップによる比較結果の出力を制御する出力制御ステップと
を含むことを特徴とするコンピュータが読み取り可能なプログラムが記録されているプログラム格納媒体。
【請求項２５】
取得した情報を基に、個人を識別する処理を行う情報処理装置を制御するコンピュータが実行可能なプログラムであって、
ユーザの生体にパルスを入力した結果得られるインパルス応答および前記パルスの合成波の取得を制御する取得制御ステップと、
登録ユーザを識別するための情報の入力を制御する入力制御ステップと、
前記入力制御ステップの処理により入力が制御された前記登録ユーザを識別するための情報と、前記取得制御ステップの処理によって取得が制御された第１の合成波とが関連付けられて記録されるように記録を制御する記録制御ステップと、
前記記録制御ステップの処理により予め記録が制御されている前記登録ユーザに対応する前記第１の合成波と、前記取得制御ステップの処理により取得が制御された第２の合成波とを比較する比較ステップと、
前記比較ステップによる比較結果の出力を制御する出力制御ステップと
を含むことを特徴とするプログラム。
【請求項２６】
個人識別を実行するための情報を取得する第１の情報処理装置と、
前記第１の情報処理装置により取得された情報を基に、個人識別処理を実行する第２の情報処理装置と
からなる個人識別システムにおいて、
前記第１の情報処理装置は、
パルスを発生する発生手段と、
前記発生手段により発生された前記パルスを出力する第１の出力手段と、
前記第１の出力手段により出力された前記パルスをユーザの生体組織に入力した結果得られるインパルス応答を受信する受信手段と、
前記発生手段により発生された前記パルスと、前記受信手段により受信された前記インパルス応答を合成して合成波を生成する生成手段と、
前記生成手段により生成された前記合成波を出力する第２の出力手段と
を備え、
前記第２の情報処理装置は、
前記第２の出力手段により出力された前記合成波を取得する取得手段と、
登録ユーザを識別するための情報を入力するための入力手段と、
前記入力手段により入力された前記登録ユーザを識別するための情報と、前記取得手段によって取得された第１の合成波を関連付けて記録する記録手段と、
前記記録手段により予め記録されている前記登録ユーザに対応する前記第１の合成波と、前記取得手段により取得された第２の合成波とを比較する比較手段と、
前記比較手段による比較結果を出力する第３の出力手段と
を備えることを特徴とする個人識別システム。
【請求項２７】
前記受信手段は、前記ユーザの指に入力された前記パルスが、骨を含む指組織内部を伝導した結果得られるインパルス応答を受信する
ことを特徴とする請求項２６に記載の個人識別システム。
【請求項２８】
ユーザからの操作を受けて所定の処理を実行する情報処理装置において、
前記ユーザが操作入力を行う操作入力手段と、
前記操作入力手段により入力された前記ユーザの操作入力に基づいて、前記所定の処理を実行する実行手段と、
パルスを発生する発生手段と、
前記発生手段により発生された前記パルスを出力する出力手段と、
前記出力手段により出力された前記パルスをユーザの生体組織に入力した結果得られるインパルス応答を受信する受信手段と、
前記発生手段により発生された前記パルスと、前記受信手段により受信された前記インパルス応答を合成して合成波を生成する生成手段と、
登録ユーザを識別するための情報を入力するための入力手段と、
前記入力手段により入力された前記登録ユーザを識別するための情報と、前記生成手段により生成された第１の合成波を関連付けて記録する記録手段と、
前記記録手段により記録されている前記登録ユーザに対応する前記第１の合成波のなかに、前記生成手段により新たに生成された第２の合成波と一致するものがあるか否かを検出する検出手段と
を備え、
前記出力手段および前記受信手段は、前記操作入力手段の前記ユーザにより触れられる箇所に設けられ、
前記実行手段は、前記検出手段による検出結果に基づいて、前記所定の処理を実行するか否かを判断する
ことを特徴とする情報処理装置。
【請求項２９】
前記受信手段は、前記ユーザの指に入力された前記パルスが、骨を含む指組織内部を伝導した結果得られるインパルス応答を受信する
ことを特徴とする請求項２８に記載の情報処理装置。
【請求項３０】
前記検出手段による検出結果をユーザに通知するためのメッセージを表示する表示手段
を更に備えることを特徴とする請求項２８に記載の情報処理装置。
【請求項３１】
前記実行手段は、前記検出手段により、前記記録手段により記録されている前記登録ユーザに対応する前記第１の合成波のなかに、前記生成手段により生成された第２の合成波と一致するものがないことが検出された場合、前記所定の処理を全て実行不可とする
ことを特徴とする請求項２８に記載の情報処理装置。
【請求項３２】
前記実行手段は、前記検出手段により、前記記録手段により記録されている前記登録ユーザに対応する前記第１の合成波のなかに、前記生成手段により生成された第２の合成波と一致するものがないことが検出された場合、前記所定の処理のうちの特定の処理のみを実行不可とする
ことを特徴とする請求項２８に記載の情報処理装置。
【請求項３３】
前記記録手段は、前記登録ユーザに対する前記第１の合成波と対応付けて、前記登録ユーザに関する情報を更に記録し、
前記実行手段は、前記検出手段により、前記生成手段により生成された第２の合成波と一致する前記第１の合成波が、所定の条件に合致した前記登録ユーザに対応する前記第１の合成波であることが検出された場合、前記所定の処理のうちの特定の処理のみを実行不可とする
ことを特徴とする請求項２８に記載の情報処理装置。
【請求項３４】
前記記録手段により記録されている前記登録ユーザのうちの所定のユーザを選択する情報を取得する取得手段を更に備え、
前記実行手段は、前記検出手段により、前記記録手段により記録されている前記登録ユーザに対応する前記第１の合成波のなかに、前記生成手段により生成された第２の合成波と一致するものがない、または、前記第２の合成波と一致した前記第１の合成波に対応する前記登録ユーザは、前記取得手段により取得された前記情報により示される、選択された前記登録ユーザに対応する前記第１の合成波ではないことが検出された場合、前記所定の処理のうちの特定の処理を実行する
ことを特徴とする請求項２８に記載の情報処理装置。
【請求項３５】
前記記録手段により記録されている前記登録ユーザのうちの所定のユーザを選択する情報を取得する取得手段を更に備え、
前記実行手段は、前記第２の合成波と一致した前記第１の合成波に対応する前記登録ユーザは、前記取得手段により取得された前記情報により示される、選択された前記登録ユーザに対応する前記第１の合成波であることが検出された場合、前記所定の処理を実行する
ことを特徴とする請求項２８に記載の情報処理装置。
【請求項３６】
前記記録手段は、前記登録ユーザに対する前記第１の合成波と対応付けて、前記登録ユーザによる前記情報処理装置の使用条件を更に記録し、
前記実行手段は、前記検出手段により、前記記録手段により記録されている前記登録ユーザに対応する前記第１の合成波のなかに、前記生成手段により生成された第２の合成波と一致するものがあることが検出された場合、前記第２の合成波と一致した前記第１の合成波と対応する前記登録ユーザの前記使用条件に基づいて処理を実行する
ことを特徴とする請求項２８に記載の情報処理装置。
【請求項３７】
所定の連絡先に情報を送信する送信手段を更に備え、
前記記録手段は、前記登録ユーザに対する前記連絡先を更に記録し、
前記送信手段は、前記検出手段により、前記記録手段により記録されている前記登録ユーザに対応する前記第１の合成波のなかに、前記生成手段により生成された第２の合成波と一致するものがないことが所定の回数検出された場合、前記登録ユーザに対応する前記連絡先に、不正なユーザによる前記情報処理装置の使用を通知するメッセージを送信する
ことを特徴とする請求項２８に記載の情報処理装置。
【請求項３８】
ユーザからの操作を受けて所定の処理を実行する情報処理装置の情報処理方法において、
操作部からの前記ユーザによる操作の入力を制御する操作入力制御ステップと、
前記操作入力制御ステップの処理により入力が制御された前記ユーザの操作入力に基づいて、前記所定の処理を実行する実行ステップと、
パルスの発生を制御する発生制御ステップと、
前記発生制御ステップの処理により発生が制御された前記パルスの出力部からの出力を制御する出力制御ステップと、
前記出力制御ステップの処理により出力が制御された前記パルスをユーザの生体組織に入力した結果得られるインパルス応答の、受信部への受信を制御する受信制御ステップと、
前記発生制御ステップの処理により発生が制御された前記パルスと、前記受信制御ステップの処理により受信が制御された前記インパルス応答を合成して合成波を生成する生成ステップと、
登録ユーザを識別するための情報の入力を制御する入力制御ステップと、
前記入力制御ステップの処理により入力が制御された前記登録ユーザを識別するための情報と、前記生成ステップの処理により生成された第１の合成波との関連付けた記録を制御する記録制御ステップと、
前記記録制御ステップの処理により記録が制御されている前記登録ユーザに対応する前記第１の合成波のなかに、前記生成ステップの処理により新たに生成された第２の合成波と一致するものがあるか否かを検出する検出ステップと
を含み、
前記出力部および前記受信部は、前記操作部の前記ユーザにより触れられる箇所に設けられ、
前記実行ステップの処理では、前記検出ステップの処理による検出結果に基づいて、前記所定の処理を実行するか否かを判断する
ことを特徴とする情報処理方法。
【請求項３９】
ユーザからの操作を受けて所定の処理を実行する情報処理装置用のプログラムであって、
操作部からの前記ユーザによる操作の入力を制御する操作入力制御ステップと、
前記操作入力制御ステップの処理により入力が制御された前記ユーザの操作入力に基づいて、前記所定の処理を実行する実行ステップと、
パルスの発生を制御する発生制御ステップと、
前記発生制御ステップの処理により発生が制御された前記パルスの出力部からの出力を制御する出力制御ステップと、
前記出力制御ステップの処理により出力が制御された前記パルスをユーザの生体組織に入力した結果得られるインパルス応答の、受信部への受信を制御する受信制御ステップと、
前記発生制御ステップの処理により発生が制御された前記パルスと、前記受信制御ステップの処理により受信が制御された前記インパルス応答を合成して合成波を生成する生成ステップと、
登録ユーザを識別するための情報の入力を制御する入力制御ステップと、
前記入力制御ステップの処理により入力が制御された前記登録ユーザを識別するための情報と、前記生成ステップの処理により生成された第１の合成波との関連付けた記録を制御する記録制御ステップと、
前記記録制御ステップの処理により記録が制御されている前記登録ユーザに対応する前記第１の合成波のなかに、前記生成ステップの処理により新たに生成された第２の合成波と一致するものがあるか否かを検出する検出ステップと
を含み、
前記出力部および前記受信部は、前記操作部の前記ユーザにより触れられる箇所に設けられ、
前記実行ステップの処理では、前記検出ステップの処理による検出結果に基づいて、前記所定の処理を実行するか否かを判断する
ことを特徴とするコンピュータが読み取り可能なプログラムが記録されているプログラム格納媒体。
【請求項４０】
ユーザからの操作を受けて所定の処理を実行する情報処理装置を制御するコンピュータが実行可能なプログラムであって、
操作部からの前記ユーザによる操作の入力を制御する操作入力制御ステップと、
前記操作入力制御ステップの処理により入力が制御された前記ユーザの操作入力に基づいて、前記所定の処理を実行する実行ステップと、
パルスの発生を制御する発生制御ステップと、
前記発生制御ステップの処理により発生が制御された前記パルスの出力部からの出力を制御する出力制御ステップと、
前記出力制御ステップの処理により出力が制御された前記パルスをユーザの生体組織に入力した結果得られるインパルス応答の、受信部への受信を制御する受信制御ステップと、
前記発生制御ステップの処理により発生が制御された前記パルスと、前記受信制御ステップの処理により受信が制御された前記インパルス応答を合成して合成波を生成する生成ステップと、
登録ユーザを識別するための情報の入力を制御する入力制御ステップと、
前記入力制御ステップの処理により入力が制御された前記登録ユーザを識別するための情報と、前記生成ステップの処理により生成された第１の合成波との関連付けた記録を制御する記録制御ステップと、
前記記録制御ステップの処理により記録が制御されている前記登録ユーザに対応する前記第１の合成波のなかに、前記生成ステップの処理により新たに生成された第２の合成波と一致するものがあるか否かを検出する検出ステップと
を含み、
前記出力部および前記受信部は、前記操作部の前記ユーザにより触れられる箇所に設けられ、
前記実行ステップの処理では、前記検出ステップの処理による検出結果に基づいて、前記所定の処理を実行するか否かを判断する
ことを特徴とするプログラム。
【請求項４１】
所定の装置に装着されることにより、情報の記録または再生のうちの少なくともいずれかが可能な記録媒体において、
パルスを発生する発生手段と、
前記発生手段により発生された前記パルスを出力する第１の出力手段と、
前記第１の出力手段により出力された前記パルスをユーザの生体組織に入力した結果得られるインパルス応答を受信する受信手段と
を備え、
前記出力手段および前記受信手段は、前記記録媒体の表面の、前記ユーザが前記所定の装置に前記記録媒体を装着するために触れる位置に設けられている
ことを特徴とする記録媒体。
【請求項４２】
前記受信手段は、前記ユーザの指に入力された前記パルスが、骨を含む指組織内部を伝導した結果得られるインパルス応答を受信する
ことを特徴とする請求項４１に記載の記録媒体。
【請求項４３】
前記受信手段により受信された前記インパルス応答を出力する第２の出力手段
を更に備えることを特徴とする請求項４１に記載の記録媒体。
【請求項４４】
前記発生手段により発生された前記パルスと、前記受信手段により受信された前記インパルス応答を合成して合成波を生成する生成手段と、
登録ユーザを識別するための情報と、前記生成手段により生成された第１の合成波を関連付けて記録する記録手段と、
前記記録手段により記録されている前記登録ユーザに対応する前記第１の合成波のなかに、前記生成手段により新たに生成された第２の合成波と一致するものがあるか否かを検出する検出手段と
を更に備えることを特徴とする請求項４１に記載の記録媒体。
【請求項４５】
前記検出手段による検出結果を出力する第２の出力手段
を更に備えることを特徴とする請求項４４に記載の記録媒体。
【請求項４６】
前記検出手段による検出結果をユーザに通知するためのメッセージを表示する表示手段
を更に備えることを特徴とする請求項４４に記載の記録媒体。
【請求項４７】
所定の装置に装着されることにより、情報の記録または再生のうちの少なくともいずれかが可能な記録媒体の使用者の識別方法であって、
パルスの発生を制御する発生制御ステップと、
前記発生制御ステップの処理により発生が制御された前記パルスの出力部からの出力を制御する出力制御ステップと、
前記出力制御ステップの処理により出力が制御された前記パルスをユーザの生体組織に入力した結果得られるインパルス応答の受信部への受信を制御する受信制御ステップと
を含み、
前記出力部および前記受信部は、前記記録媒体の表面の、前記ユーザが前記所定の装置に前記記録媒体を装着するために触れる位置に設けられている
ことを特徴とする記録媒体の使用者の識別方法。
【請求項４８】
所定の装置に装着されることにより、情報の記録または再生のうちの少なくともいずれかが可能な記録媒体において、使用者の識別を行うためのプログラムであって、
パルスの発生を制御する発生制御ステップと、
前記発生制御ステップの処理により発生が制御された前記パルスの出力部からの出力を制御する出力制御ステップと、
前記出力制御ステップの処理により出力が制御された前記パルスをユーザの生体組織に入力した結果得られるインパルス応答の受信部への受信を制御する受信制御ステップと
を含み、
前記出力部および前記受信部は、前記記録媒体の表面の、前記ユーザが前記所定の装置に前記記録媒体を装着するために触れる位置に設けられている
ことを特徴とするコンピュータが読み取り可能なプログラムが記録されているプログラム格納媒体。
【請求項４９】
所定の装置に装着されることにより、情報の記録または再生のうちの少なくともいずれかが可能な記録媒体の使用者を識別する処理を実行するコンピュータが実行可能なプログラムであって、
パルスの発生を制御する発生制御ステップと、
前記発生制御ステップの処理により発生が制御された前記パルスの出力部からの出力を制御する出力制御ステップと、
前記出力制御ステップの処理により出力が制御された前記パルスをユーザの生体組織に入力した結果得られるインパルス応答の受信部への受信を制御する受信制御ステップと
を含み、
前記出力部および前記受信部は、前記記録媒体の表面の、前記ユーザが前記所定の装置に前記記録媒体を装着するために触れる位置に設けられている
ことを特徴とするプログラム。
【請求項５０】
記録媒体を装着可能な情報処理装置において、
前記記録媒体を装着した第１のユーザが登録されているユーザであるか否かを示す第１の情報を取得する第１の取得手段と、
操作入力を行った第２のユーザが登録されているユーザであるか否かを示す第２の情報を取得する第２の取得手段と、
前記第２のユーザの操作入力に基づいて、所定の処理を実行する実行手段と、
前記第１の取得手段により取得された前記第１の情報、および、前記第２の取得手段により取得された前記第２の情報を基に、前記第１のユーザと前記第２のユーザとが一致するか否かを判断する判断手段と
を備え、
前記実行手段は、前記第１のユーザが登録されているユーザであるか否か、並びに、前記判断手段により前記第１のユーザと前記第２のユーザとが一致すると判断されるか否かに基づいて、前記所定の処理を実行するか否かを判断する
ことを特徴とする情報処理装置。
【請求項５１】
前記第１のユーザが登録されているユーザではない、あるいは、前記判断手段により、前記判断手段により前記第１のユーザと前記第２のユーザとが一致しないと判断された場合、装着されている前記記録媒体を排出する排出手段
を更に備えることを特徴とする請求項５０に記載の情報処理装置。
【請求項５２】
前記ユーザによる操作入力の内容を示す信号、および前記ユーザの個人識別結果を受信する受信手段を更に備え、
前記第２の取得手段は、前記受信手段により受信された前記ユーザの個人識別結果を、前記第２の情報として取得する
ことを特徴とする請求項５０に記載の情報処理装置。
【請求項５３】
パルスを発生する発生手段と、
前記発生手段により発生された前記パルスを出力する出力手段と、
前記出力手段により出力された前記パルスをユーザの生体組織に入力した結果得られるインパルス応答を受信する受信手段と、
前記発生手段により発生された前記パルスと、前記受信手段により受信された前記インパルス応答を合成して合成波を生成する生成手段と、
登録ユーザを識別するための情報と、前記ユーザに対応する第１の合成波を関連付けて記録する記録手段と、
前記記録手段により記録されている前記登録ユーザに対応する前記第１の合成波のなかに、前記生成手段により新たに生成された第２の合成波と一致するものがあるか否かを検出する検出手段と
を更に備え、
前記第２の取得手段は、前記検出手段による検出結果を、前記第２の情報として取得する
ことを特徴とする請求項５０に記載の情報処理装置。
【請求項５４】
前記受信手段は、前記ユーザの指に入力された前記パルスが、骨を含む指組織内部を伝導した結果得られるインパルス応答を受信する
ことを特徴とする請求項５３に記載の情報処理装置。
【請求項５５】
前記記録媒体の使用を許可されている前記登録ユーザを識別するための情報および対応する前記第１の合成波を、装着された前記記録媒体から取得する第３の取得手段を更に備え、
前記記録手段は、前記第３の取得手段により取得された前記登録ユーザを識別するための情報および対応する前記第１の合成波を記録する
ことを特徴とする請求項５３に記載の情報処理装置。
【請求項５６】
所定のパルスをユーザの生体組織に入力した結果得られるインパルス応答と前記所定のパルスとの合成波である第１の合成波を、装着された前記記録媒体から取得する第３の取得手段と、
前記所定のパルスが前記記録媒体の使用を許可されている前記登録ユーザの生体組織に入力した結果得られるインパルス応答と前記所定のパルスとの合成波である第２の合成波を、装着された前記記録媒体から取得する第４の取得手段と、
前記第４の取得手段により取得された前記第２の合成波のなかに、前記第３の取得手段により取得された前記第１の合成波と一致するものがあるか否かを検出する検出手段と
を更に備え、
前記第１の取得手段は、前記検出手段による検出結果を前記第１の情報として取得する
ことを特徴とする請求項５０に記載の情報処理装置。
【請求項５７】
記録媒体を装着可能な情報処理装置の情報処理方法において、
前記記録媒体を装着した第１のユーザが登録されているユーザであるか否かを示す第１の情報の取得を制御する第１の取得制御ステップと、
操作入力を行った第２のユーザが登録されているユーザであるか否かを示す第２の情報の取得を制御する第２の取得制御ステップと、
前記第２のユーザの操作入力に基づいて、所定の処理を実行する実行ステップと、
前記第１の取得制御ステップの処理により取得が制御された前記第１の情報、および、前記第２の取得制御ステップの処理により取得が制御された前記第２の情報を基に、前記第１のユーザと前記第２のユーザとが一致するか否かを判断する判断ステップと
を含み、
前記実行ステップの処理では、前記第１のユーザが登録されているユーザであるか否か、並びに、前記判断ステップの処理により前記第１のユーザと前記第２のユーザとが一致すると判断されるか否かに基づいて、前記所定の処理を実行するか否かを判断する
ことを特徴とする情報処理方法。
【請求項５８】
記録媒体を装着可能な情報処理装置用のプログラムであって、
前記記録媒体を装着した第１のユーザが登録されているユーザであるか否かを示す第１の情報の取得を制御する第１の取得制御ステップと、
操作入力を行った第２のユーザが登録されているユーザであるか否かを示す第２の情報の取得を制御する第２の取得制御ステップと、
前記第２のユーザの操作入力に基づいて、所定の処理を実行する実行ステップと、
前記第１の取得制御ステップの処理により取得が制御された前記第１の情報、および、前記第２の取得制御ステップの処理により取得が制御された前記第２の情報を基に、前記第１のユーザと前記第２のユーザとが一致するか否かを判断する判断ステップと
を含み、
前記実行ステップの処理では、前記第１のユーザが登録されているユーザであるか否か、並びに、前記判断ステップの処理により前記第１のユーザと前記第２のユーザとが一致すると判断されるか否かに基づいて、前記所定の処理を実行するか否かを判断する
ことを特徴とするコンピュータが読み取り可能なプログラムが記録されているプログラム格納媒体。
【請求項５９】
記録媒体を装着可能な情報処理装置を制御するコンピュータが実行可能なプログラムであって、
前記記録媒体を装着した第１のユーザが登録されているユーザであるか否かを示す第１の情報の取得を制御する第１の取得制御ステップと、
操作入力を行った第２のユーザが登録されているユーザであるか否かを示す第２の情報の取得を制御する第２の取得制御ステップと、
前記第２のユーザの操作入力に基づいて、所定の処理を実行する実行ステップと、
前記第１の取得制御ステップの処理により取得が制御された前記第１の情報、および、前記第２の取得制御ステップの処理により取得が制御された前記第２の情報を基に、前記第１のユーザと前記第２のユーザとが一致するか否かを判断する判断ステップと
を含み、
前記実行ステップの処理では、前記第１のユーザが登録されているユーザであるか否か、並びに、前記判断ステップの処理により前記第１のユーザと前記第２のユーザとが一致すると判断されるか否かに基づいて、前記所定の処理を実行するか否かを判断する
ことを特徴とするプログラム。
【手続補正２】
【補正対象書類名】明細書
【補正対象項目名】０００７
【補正方法】変更
【補正の内容】
【０００７】
【課題を解決するための手段】
本発明の個人識別装置は、パルスを発生する発生手段と、発生手段により発生されたパルスを出力する第１の出力手段と、第１の出力手段により出力されたパルスをユーザの生体組織に入力した結果得られるインパルス応答を受信する受信手段とを備えることを特徴とする。
【手続補正３】
【補正対象書類名】明細書
【補正対象項目名】００１１
【補正方法】変更
【補正の内容】
【００１１】
第１の出力手段と受信手段とは、一体の平面状の部材として構成されているものとすることができる。
受信手段には、ユーザの指に入力されたパルスが、骨を含む指組織内部を伝導した結果得られるインパルス応答を受信させるようにすることができる。
【手続補正４】
【補正対象書類名】明細書
【補正対象項目名】００１２
【補正方法】変更
【補正の内容】
【００１２】
発生手段により発生されたパルスと、受信手段により受信されたインパルス応答を合成して合成波を生成する生成手段を更に備えさせるようにすることができる。
【手続補正５】
【補正対象書類名】明細書
【補正対象項目名】００１９
【補正方法】変更
【補正の内容】
【００１９】
本発明の個人識別方法は、パルスの発生を制御する発生制御ステップと、発生制御ステップの処理により発生が制御されたパルスの出力を制御する出力制御ステップと、出力制御ステップの処理により出力が制御されたパルスをユーザの生体組織に入力した結果得られるインパルス応答の受信を制御する受信制御ステップとを含むことを特徴とする。
【手続補正６】
【補正対象書類名】明細書
【補正対象項目名】００２０
【補正方法】変更
【補正の内容】
【００２０】
本発明の第１のプログラム格納媒体に格納されているプログラムは、パルスの発生を制御する発生制御ステップと、発生制御ステップの処理により発生が制御されたパルスの出力を制御する出力制御ステップと、出力制御ステップの処理により出力が制御されたパルスをユーザの生体組織に入力した結果得られるインパルス応答の受信を制御する受信制御ステップとを含むことを特徴とする。
【手続補正７】
【補正対象書類名】明細書
【補正対象項目名】００２１
【補正方法】変更
【補正の内容】
【００２１】
本発明の第１のプログラムは、パルスの発生を制御する発生制御ステップと、発生制御ステップの処理により発生が制御されたパルスの出力を制御する出力制御ステップと、出力制御ステップの処理により出力が制御されたパルスをユーザの生体組織に入力した結果得られるインパルス応答の受信を制御する受信制御ステップとを含む処理をコンピュータに実行させることを特徴とする。
【手続補正８】
【補正対象書類名】明細書
【補正対象項目名】００２２
【補正方法】変更
【補正の内容】
【００２２】
本発明の第１の情報処理装置は、ユーザの生体にパルスを入力した結果得られるインパルス応答およびパルスの合成波を取得する取得手段と、登録ユーザを識別するための情報を入力するための入力手段と、入力手段により入力された登録ユーザを識別するための情報と、取得手段によって取得された第１の合成波を関連付けて記録する記録手段と、記録手段により予め記録されている登録ユーザに対応する第１の合成波と、取得手段により取得された第２の合成波とを比較する比較手段と、比較手段による比較結果を出力する出力手段とを備えることを特徴とする。
取得手段には、ユーザの指に入力されたパルスが、骨を含む指組織内部を伝導した結果得られるインパルス応答、および、パルスの合成波を取得させるようにすることができる。
【手続補正９】
【補正対象書類名】明細書
【補正対象項目名】００２７
【補正方法】変更
【補正の内容】
【００２７】
本発明の第１の情報処理方法は、ユーザの生体にパルスを入力した結果得られるインパルス応答およびパルスの合成波の取得を制御する取得制御ステップと、登録ユーザを識別するための情報の入力を制御する入力制御ステップと、入力制御ステップの処理により入力が制御された登録ユーザを識別するための情報と、取得制御ステップの処理によって取得が制御された第１の合成波とが関連付けられて記録されるように記録を制御する記録制御ステップと、記録制御ステップの処理により予め記録が制御されている登録ユーザに対応する第１の合成波と、取得制御ステップの処理により取得が制御された第２の合成波とを比較する比較ステップと、比較ステップによる比較結果の出力を制御する出力制御ステップとを含むことを特徴とする。
【手続補正１０】
【補正対象書類名】明細書
【補正対象項目名】００２８
【補正方法】変更
【補正の内容】
【００２８】
本発明の第２のプログラム格納媒体に格納されているプログラムは、ユーザの生体にパルスを入力した結果得られるインパルス応答およびパルスの合成波の取得を制御する取得制御ステップと、登録ユーザを識別するための情報の入力を制御する入力制御ステップと、入力制御ステップの処理により入力が制御された登録ユーザを識別するための情報と、取得制御ステップの処理によって取得が制御された第１の合成波とが関連付けられて記録されるように記録を制御する記録制御ステップと、記録制御ステップの処理により予め記録が制御されている登録ユーザに対応する第１の合成波と、取得制御ステップの処理により取得が制御された第２の合成波とを比較する比較ステップと、比較ステップによる比較結果の出力を制御する出力制御ステップとを含むことを特徴とする。
【手続補正１１】
【補正対象書類名】明細書
【補正対象項目名】００２９
【補正方法】変更
【補正の内容】
【００２９】
本発明の第２のプログラムは、ユーザの生体にパルスを入力した結果得られるインパルス応答およびパルスの合成波の取得を制御する取得制御ステップと、登録ユーザを識別するための情報の入力を制御する入力制御ステップと、入力制御ステップの処理により入力が制御された登録ユーザを識別するための情報と、取得制御ステップの処理によって取得が制御された第１の合成波とが関連付けられて記録されるように記録を制御する記録制御ステップと、記録制御ステップの処理により予め記録が制御されている登録ユーザに対応する第１の合成波と、取得制御ステップの処理により取得が制御された第２の合成波とを比較する比較ステップと、比較ステップによる比較結果の出力を制御する出力制御ステップとを含む処理をコンピュータに実行させることを特徴とする。
【手続補正１２】
【補正対象書類名】明細書
【補正対象項目名】００３０
【補正方法】変更
【補正の内容】
【００３０】
本発明の個人識別システムは、第１の情報処理装置が、パルスを発生する発生手段と、発生手段により発生されたパルスを出力する第１の出力手段と、第１の出力手段により出力されたパルスをユーザの生体組織に入力した結果得られるインパルス応答を受信する受信手段と、発生手段により発生されたパルスと、受信手段により受信されたインパルス応答を合成して合成波を生成する生成手段と、生成手段により生成された合成波を出力する第２の出力手段とを備え、第２の情報処理装置が、第２の出力手段により出力された合成波を取得する取得手段と、登録ユーザを識別するための情報を入力するための入力手段と、入力手段により入力された登録ユーザを識別するための情報と、取得手段によって取得された第１の合成波を関連付けて記録する記録手段と、記録手段により予め記録されている登録ユーザに対応する第１の合成波と、取得手段により取得された第２の合成波とを比較する比較手段と、比較手段による比較結果を出力する第３の出力手段とを備えることを特徴とする。
受信手段には、ユーザの指に入力されたパルスが、骨を含む指組織内部を伝導した結果得られるインパルス応答を受信させるようにすることができる。
【手続補正１３】
【補正対象書類名】明細書
【補正対象項目名】００３１
【補正方法】変更
【補正の内容】
【００３１】
本発明の第２の情報処理装置は、ユーザが操作入力を行う操作入力手段と、操作入力手段により入力されたユーザの操作入力に基づいて、所定の処理を実行する実行手段と、パルスを発生する発生手段と、発生手段により発生されたパルスを出力する出力手段と、出力手段により出力されたパルスをユーザの生体組織に入力した結果得られるインパルス応答を受信する受信手段と、発生手段により発生されたパルスと、受信手段により受信されたインパルス応答を合成して合成波を生成する生成手段と、登録ユーザを識別するための情報を入力するための入力手段と、入力手段により入力された登録ユーザを識別するための情報と、生成手段により生成された第１の合成波を関連付けて記録する記録手段と、記録手段により記録されている登録ユーザに対応する第１の合成波のなかに、生成手段により新たに生成された第２の合成波と一致するものがあるか否かを検出する検出手段とを備え、出力手段および受信手段は、操作入力手段のユーザにより触れられる箇所に設けられ、実行手段は、検出手段による検出結果に基づいて、所定の処理を実行するか否かを判断することを特徴とする。
受信手段には、ユーザの指に入力されたパルスが、骨を含む指組織内部を伝導した結果得られるインパルス応答を受信させるようにすることができる。
【手続補正１４】
【補正対象書類名】明細書
【補正対象項目名】００４０
【補正方法】変更
【補正の内容】
【００４０】
本発明の第２の情報処理方法は、操作部からの前記ユーザによる操作の入力を制御する操作入力制御ステップと、操作入力制御ステップの処理により入力が制御されたユーザの操作入力に基づいて、所定の処理を実行する実行ステップと、パルスの発生を制御する発生制御ステップと、発生制御ステップの処理により発生が制御されたパルスの出力部からの出力を制御する出力制御ステップと、出力制御ステップの処理により出力が制御されたパルスをユーザの生体組織に入力した結果得られるインパルス応答の、受信部への受信を制御する受信制御ステップと、発生制御ステップの処理により発生が制御されたパルスと、受信制御ステップの処理により受信が制御されたインパルス応答を合成して合成波を生成する生成ステップと、登録ユーザを識別するための情報の入力を制御する入力制御ステップと、入力制御ステップの処理により入力が制御された登録ユーザを識別するための情報と、生成ステップの処理により生成された第１の合成波との関連付けた記録を制御する記録制御ステップと、記録制御ステップの処理により記録が制御されている登録ユーザに対応する第１の合成波のなかに、生成ステップの処理により新たに生成された第２の合成波と一致するものがあるか否かを検出する検出ステップとを含み、出力部および受信部は、操作部のユーザにより触れられる箇所に設けられ、実行ステップの処理では、検出ステップの処理による検出結果に基づいて、所定の処理を実行するか否かを判断することを特徴とする。
【手続補正１５】
【補正対象書類名】明細書
【補正対象項目名】００４１
【補正方法】変更
【補正の内容】
【００４１】
本発明の第３のプログラム格納媒体に格納されているプログラムは、操作部からの前記ユーザによる操作の入力を制御する操作入力制御ステップと、操作入力制御ステップの処理により入力が制御されたユーザの操作入力に基づいて、所定の処理を実行する実行ステップと、パルスの発生を制御する発生制御ステップと、発生制御ステップの処理により発生が制御されたパルスの出力部からの出力を制御する出力制御ステップと、出力制御ステップの処理により出力が制御されたパルスをユーザの生体組織に入力した結果得られるインパルス応答の、受信部への受信を制御する受信制御ステップと、発生制御ステップの処理により発生が制御されたパルスと、受信制御ステップの処理により受信が制御されたインパルス応答を合成して合成波を生成する生成ステップと、登録ユーザを識別するための情報の入力を制御する入力制御ステップと、入力制御ステップの処理により入力が制御された登録ユーザを識別するための情報と、生成ステップの処理により生成された第１の合成波との関連付けた記録を制御する記録制御ステップと、記録制御ステップの処理により記録が制御されている登録ユーザに対応する第１の合成波のなかに、生成ステップの処理により新たに生成された第２の合成波と一致するものがあるか否かを検出する検出ステップとを含み、出力部および受信部は、操作部のユーザにより触れられる箇所に設けられ、実行ステップの処理では、検出ステップの処理による検出結果に基づいて、所定の処理を実行するか否かを判断することを特徴とする。
【手続補正１６】
【補正対象書類名】明細書
【補正対象項目名】００４２
【補正方法】変更
【補正の内容】
【００４２】
本発明の第３のプログラムは、操作部からの前記ユーザによる操作の入力を制御する操作入力制御ステップと、操作入力制御ステップの処理により入力が制御されたユーザの操作入力に基づいて、所定の処理を実行する実行ステップと、パルスの発生を制御する発生制御ステップと、発生制御ステップの処理により発生が制御されたパルスの出力部からの出力を制御する出力制御ステップと、出力制御ステップの処理により出力が制御されたパルスをユーザの生体組織に入力した結果得られるインパルス応答の、受信部への受信を制御する受信制御ステップと、発生制御ステップの処理により発生が制御されたパルスと、受信制御ステップの処理により受信が制御されたインパルス応答を合成して合成波を生成する生成ステップと、登録ユーザを識別するための情報の入力を制御する入力制御ステップと、入力制御ステップの処理により入力が制御された登録ユーザを識別するための情報と、生成ステップの処理により生成された第１の合成波との関連付けた記録を制御する記録制御ステップと、記録制御ステップの処理により記録が制御されている登録ユーザに対応する第１の合成波のなかに、生成ステップの処理により新たに生成された第２の合成波と一致するものがあるか否かを検出する検出ステップとを含み、出力部および受信部は、操作部のユーザにより触れられる箇所に設けられ、実行ステップの処理では、検出ステップの処理による検出結果に基づいて、所定の処理を実行するか否かを判断することを特徴とする。
【手続補正１７】
【補正対象書類名】明細書
【補正対象項目名】００４３
【補正方法】変更
【補正の内容】
【００４３】
本発明の記録媒体は、パルスを発生する発生手段と、発生手段により発生されたパルスを出力する第１の出力手段と、第１の出力手段により出力されたパルスをユーザの生体組織に入力した結果得られるインパルス応答を受信する受信手段とを備え、出力手段および受信手段は、記録媒体の表面の、ユーザが所定の装置に記録媒体を装着するために触れる位置に設けられていることを特徴とする。
受信手段には、ユーザの指に入力されたパルスが、骨を含む指組織内部を伝導した結果得られるインパルス応答を受信させるようにすることができる。
【手続補正１８】
【補正対象書類名】明細書
【補正対象項目名】００４４
【補正方法】変更
【補正の内容】
【００４４】
受信手段により受信されたインパルス応答を出力する第２の出力手段を更に備えさせるようにすることができる。
【手続補正１９】
【補正対象書類名】明細書
【補正対象項目名】００４５
【補正方法】変更
【補正の内容】
【００４５】
発生手段により発生されたパルスと、受信手段により受信されたインパルス応答を合成して合成波を生成する生成手段と、登録ユーザを識別するための情報と、生成手段により生成された第１の合成波を関連付けて記録する記録手段と、記録手段により記録されている登録ユーザに対応する第１の合成波のなかに、生成手段により新たに生成された第２の合成波と一致するものがあるか否かを検出する検出手段とを更に備えさせるようにすることができる。
【手続補正２０】
【補正対象書類名】明細書
【補正対象項目名】００４８
【補正方法】変更
【補正の内容】
【００４８】
本発明の記録媒体の使用者の識別方法は、パルスの発生を制御する発生制御ステップと、発生制御ステップの処理により発生が制御されたパルスの出力部からの出力を制御する出力制御ステップと、出力制御ステップの処理により出力が制御されたパルスをユーザの生体組織に入力した結果得られるインパルス応答の受信部への受信を制御する受信制御ステップとを含み、出力部および受信部は、記録媒体の表面の、ユーザが所定の装置に記録媒体を装着するために触れる位置に設けられていることを特徴とする。
【手続補正２１】
【補正対象書類名】明細書
【補正対象項目名】００４９
【補正方法】変更
【補正の内容】
【００４９】
本発明の第４のプログラム格納媒体に格納されているプログラムは、パルスの発生を制御する発生制御ステップと、発生制御ステップの処理により発生が制御されたパルスの出力部からの出力を制御する出力制御ステップと、出力制御ステップの処理により出力が制御されたパルスをユーザの生体組織に入力した結果得られるインパルス応答の受信部への受信を制御する受信制御ステップとを含み、出力部および受信部は、記録媒体の表面の、ユーザが所定の装置に記録媒体を装着するために触れる位置に設けられていることを特徴とする。
【手続補正２２】
【補正対象書類名】明細書
【補正対象項目名】００５０
【補正方法】変更
【補正の内容】
【００５０】
本発明の第４のプログラムは、パルスの発生を制御する発生制御ステップと、発生制御ステップの処理により発生が制御されたパルスの出力部からの出力を制御する出力制御ステップと、出力制御ステップの処理により出力が制御されたパルスをユーザの生体組織に入力した結果得られるインパルス応答の受信部への受信を制御する受信制御ステップとを含み、出力部および受信部は、記録媒体の表面の、ユーザが所定の装置に記録媒体を装着するために触れる位置に設けられていることを特徴とする。
【手続補正２３】
【補正対象書類名】明細書
【補正対象項目名】００５４
【補正方法】変更
【補正の内容】
【００５４】
パルスを発生する発生手段と、発生手段により発生されたパルスを出力する出力手段と、出力手段により出力されたパルスをユーザの生体組織に入力した結果得られるインパルス応答を受信する受信手段と、発生手段により発生されたパルスと、受信手段により受信されたインパルス応答を合成して合成波を生成する生成手段と、登録ユーザを識別するための情報と、ユーザに対応する第１の合成波を関連付けて記録する記録手段と、記録手段により記録されている登録ユーザに対応する第１の合成波のなかに、生成手段により新たに生成された第２の合成波と一致するものがあるか否かを検出する検出手段とを更に備えさせるようにすることができ、第２の取得手段には、検出手段による検出結果を、第２の情報として取得させるようにすることができる。
受信手段には、ユーザの指に入力されたパルスが、骨を含む指組織内部を伝導した結果得られるインパルス応答を受信させるようにすることができる。
【手続補正２４】
【補正対象書類名】明細書
【補正対象項目名】００５６
【補正方法】変更
【補正の内容】
【００５６】
所定のパルスをユーザの生体組織に入力した結果得られるインパルス応答と所定のパルスとの合成波である第１の合成波を、装着された記録媒体から取得する第３の取得手段と、所定のパルスが記録媒体の使用を許可されている登録ユーザの生体組織に入力した結果得られるインパルス応答と所定のパルスとの合成波である第２の合成波を、装着された記録媒体から取得する第４の取得手段と、第４の取得手段により取得された第２の合成波のなかに、第３の取得手段により取得された第１の合成波と一致するものがあるか否かを検出する検出手段とを更に備えさせるようにすることができ、第１の取得手段には、検出手段による検出結果を第１の情報として取得させるようにすることができる。
【手続補正２５】
【補正対象書類名】明細書
【補正対象項目名】００６０
【補正方法】変更
【補正の内容】
【００６０】
本発明の個人識別装置および個人識別方法、並びに第１のプログラムにおいては、パルスが発生され、発生されたパルスが出力され、出力されたパルスがユーザの生体組織に入力されて、その結果得られるインパルス応答が受信される。
【手続補正２６】
【補正対象書類名】明細書
【補正対象項目名】００６１
【補正方法】変更
【補正の内容】
【００６１】
本発明の第１の情報処理装置および情報処理方法、並びに第２のプログラムにおいては、ユーザの生体にパルスを入力した結果得られるインパルス応答およびパルスの合成波が取得され、登録ユーザを識別するための情報が入力され、入力された登録ユーザを識別するための情報と、取得された第１の合成波が関連付けられて記録され、記録されている登録ユーザに対応する第１の合成波と、取得された第２の合成波とが比較され、比較結果が出力される。
【手続補正２７】
【補正対象書類名】明細書
【補正対象項目名】００６２
【補正方法】変更
【補正の内容】
【００６２】
本発明の個人識別システムにおいては、第１の情報処理装置で、パルスが発生され、発生されたパルスが出力され、出力されたパルスがユーザの生体組織に入力されて、その結果得られるインパルス応答が受信され、発生されたパルスと、受信されたインパルス応答が合成されて合成波が生成され、生成された合成波が出力され、第２の情報処理装置で、合成波が取得され、登録ユーザを識別するための情報が入力され、入力された登録ユーザを識別するための情報と、取得された第１の合成波が関連付けられて記録され、予め記録されている登録ユーザに対応する第１の合成波と、取得された第２の合成波とが比較され、比較結果が出力される。
【手続補正２８】
【補正対象書類名】明細書
【補正対象項目名】００６３
【補正方法】変更
【補正の内容】
【００６３】
本発明の第２の情報処理装置および情報処理方法、並びに第３のプログラムにおいては、ユーザにより操作入力され、ユーザの操作入力に基づいて、所定の処理が実行され、パルスが発生されて出力され、出力されたパルスをユーザの生体組織に入力した結果得られるインパルス応答が受信され、発生されたパルスと、受信されたインパルス応答が合成されて合成波が生成され、登録ユーザを識別するための情報が入力され、入力された登録ユーザを識別するための情報と、生成された第１の合成波とが関連付けられて記録され、記録されている登録ユーザに対応する第１の合成波のなかに、新たに生成された第２の合成波と一致するものがあるか否かが検出され、パルスの出力部およびインパルス応答の受信部は、操作部のユーザにより触れられる箇所に設けられ、検出結果に基づいて、所定の処理を実行するか否かが判断される。
【手続補正２９】
【補正対象書類名】明細書
【補正対象項目名】００６４
【補正方法】変更
【補正の内容】
【００６４】
本発明の記録媒体および記録媒体の使用者の識別方法、並びに、第４のプログラムにおいては、パルスが発生されて出力され、出力されたパルスをユーザの生体組織に入力した結果得られるインパルス応答が受信され、パルスの出力部およびインパルス応答の受信部は、記録媒体の表面の、ユーザが所定の装置に記録媒体を装着するために触れる位置に設けられる。